(57)【要約】【課題】  データのバックアップを行う際に通常記録用の記録媒体とバックアップ用の記録媒体両方を加味した上でのトータル的なデータの書き込み状態を把握可能とする。【解決手段】  撮像装置は、第１の記録媒体（例えば、図１の１３）に書き込まれるデータと同一のデータが第２の記録媒体（例えば、図１の１４）に対しても書き込まれる場合、第１の記録媒体と第２の記録媒体とのデータの書き込み状態を示す情報を取得し、第１の記録媒体及び第２の記録媒体のうちデータの書き込み処理が遅れている方のデータの書き込み状態を示す情報、又は、第１の記録媒体及び第２の記録媒体双方のデータの書き込み状態を示す情報を画面表示させる。【選択図】  図１
2007066393.tif 000002
【特許請求の範囲】
【請求項１】
第１の記録媒体及び第２の記録媒体に対してデータの書き込みが可能な書込手段と、
前記第１の記録媒体と前記第２の記録媒体とのデータの書き込み状態を示す情報を取得する取得手段と、
前記第１の記録媒体及び前記第２の記録媒体へのデータの書き込み状態を示す１の情報か、前記第１の記録媒体及び前記第２の記録媒体双方のデータのそれぞれの書き込み状態を示す複数の情報を表示手段上に表示させるかを制御する表示制御手段とを有することを特徴とする情報記録装置。
【請求項２】
前記１の情報は、前記第１の記録媒体及び前記第２の記録媒体のうちデータの書き込み処理が遅れている方のデータの書き込み状態を示す情報であることを特徴とする請求項１に記載の情報記録装置。
【請求項３】
前記書込手段によるデータの書き込み処理に支障を来す虞のある当該情報記録装置の状態変化を検知する検知手段を更に有し、前記検知手段は、当該情報記録装置に供給される電源がオフとなった状態を検知することを特徴とする請求項１に記載の情報記録装置。
【請求項４】
前記書込手段によるデータの書き込み処理に支障を来す虞のある当該情報記録装置の状態変化を検知する検知手段を更に有し、前記検知手段は、前記第１の記録媒体又は前記第２の記録媒体が装填される各スロットの開閉蓋が開いた状態を検知することを特徴とする請求項１に記載の情報記録装置。
【請求項５】
前記取得手段は、前記第１の記録媒体と前記第２の記録媒体とに対するデータの書き込み残数情報を取得し、前記データの書き込み状態は、前記第１の記録媒体及び前記第２の記録媒体のうちデータの書き込み処理が遅れている方のデータの書き込み残数情報、又は、前記第１の記録媒体及び前記第２の記録媒体双方のデータの書き込み残数情報であることを特徴とする請求項１乃至４の何れか１項に記載の情報記録装置。
【請求項６】
第１の記録媒体及び第２の記録媒体に対するデータの書き込みが可能な情報記録装置の制御方法であって、
前記第１の記録媒体と前記第２の記録媒体とのデータの書き込み状態を示す情報を取得する取得ステップと、
前記第１の記録媒体及び前記第２の記録媒体へのデータの書き込み状態を示す１の情報か、前記第１の記録媒体及び前記第２の記録媒体双方のデータのそれぞれの書き込み状態を示す複数の情報を表示手段上に表示させるかを制御する表示制御ステップとを含むことを特徴とする情報記録装置の制御方法。
【請求項７】
請求項６に記載の情報記録装置の制御方法をコンピュータに実行させるためのプログラム。
【請求項８】
前記１の情報は、前記第１の記録媒体及び前記第２の記録媒体のうちデータの書き込み処理が遅れている方のデータの書き込み状態を示す情報であることを特徴とする請求項６に記載の情報記録装置の制御方法。
【請求項９】
前記当該情報記録装置に供給される電源がオフとなった状態を検知する検知ステップを更に有していることを特徴とする請求項６に記載の情報記録装置の制御方法。
【請求項１０】
前記第１の記録媒体又は前記第２の記録媒体が装填される各スロットの開閉蓋が開いた状態を更に検知することができることを特徴とする請求項６に記載の情報記録装置の制御方法。
【請求項１１】
前記取得ステップでは、前記第１の記録媒体と前記第２の記録媒体とに対するデータの書き込み残数情報を取得し、前記データの書き込み状態は、前記第１の記録媒体及び前記第２の記録媒体のうちデータの書き込み処理が遅れている方のデータの書き込み残数情報、又は、前記第１の記録媒体及び前記第２の記録媒体双方のデータの書き込み残数情報であることを特徴とする請求項６、８、９、１０の何れか１項に記載の情報記録装置の制御方法。
【請求項１２】
前記第１の記録媒体に書き込まれるデータと前記第２の記録媒体に書き込まれるデータは同一であることを特徴とする請求項１に記載の情報記録装置。
【請求項１３】
前記第１の記録媒体に書き込まれるデータと前記第２の記録媒体に書き込まれるデータは同一であることを特徴とする請求項６に記載の情報記録装置の制御方法。
【請求項１４】
上記表示制御手段により、警告表示が出されるのは、書き込みが停止せざるを得ないような状態が発生した場合であり、確認表示が出させるのは、書き込みが継続可能な状態であるが、操作部材の操作により、カメラ状態が変更された場合であることを特徴とする請求項１に記載の情報記録装置。
【請求項１５】
上記表示制御ステップにより、警告表示が出されるのは、書き込みが停止せざるを得ないような状態が発生した場合、確認表示が出させるのは、書き込みが継続可能な状態であるが、操作部材の操作により、カメラ状態が変更された場合であることを特徴とする請求項６に記載の情報記録装置の制御方法。
【請求項１６】
第１の記録媒体及び第２の記録媒体に対してデータの書き込みが可能な書込手段と、
前記第１の記録媒体と前記第２の記録媒体とのデータの書き込み状態を示す情報を取得する取得手段と、
装置の状態変化を検知する検知手段と、
前記検知手段により検知される前記装置の状態変化に基づいて、前記データの書き込み状態の表示態様を変える表示制御手段とを有することを特徴とする情報記録装置。
【請求項１７】
前記検知手段は、当該情報記録装置に供給される電源がオフとなった状態を検知することを特徴とする請求項１６に記載の情報記録装置。
【請求項１８】
前記検知手段は、前記第１の記録媒体又は前記第２の記録媒体が装填される各スロットの開閉蓋が開いた状態を検知することを特徴とする請求項１６に記載の情報記録装置。
【請求項１９】
前記取得手段は、前記第１の記録媒体と前記第２の記録媒体とに対するデータの書き込み残数情報を取得し、前記データの書き込み状態は、前記第１の記録媒体及び前記第２の記録媒体のうちデータの書き込み処理が遅れている方のデータの書き込み残数情報、又は、前記第１の記録媒体及び前記第２の記録媒体双方のデータの書き込み残数情報であることを特徴とする請求項１６乃至１８の何れか１項に記載の情報記録装置。
【請求項２０】
第１の記録媒体及び第２の記録媒体に対してデータの書き込みが可能な書込ステップと、
前記第１の記録媒体と前記第２の記録媒体とのデータの書き込み状態を示す情報を取得する取得ステップと、
装置の状態変化を検知する検知ステップと、
前記検知ステップにより検知される前記装置の状態変化に基づいて、前記データの書き込み状態の表示態様を変える表示制御ステップとを有することを特徴とする情報記録装置の制御方法。
【請求項２１】
請求項２０に記載の情報記録装置の制御方法をコンピュータに実行させるためのプログラム。
【請求項２２】
前記検知ステップは、当該情報記録装置に供給される電源がオフとなった状態を検知することができることを特徴とする請求項２０に記載の情報記録装置の制御方法。
【請求項２３】
前記検知ステップは、前記第１の記録媒体又は前記第２の記録媒体が装填される各スロットの開閉蓋が開いた状態を検知することができることを特徴とする請求項２０に記載の情報記録装置の制御方法。
【請求項２４】
前記取得ステップでは、前記第１の記録媒体と前記第２の記録媒体とに対するデータの書き込み残数情報を取得することを特徴とする請求項２０、２２、２３の何れか１項に記載の情報記録装置の制御方法。
【請求項２５】
前記第１の記録媒体に書き込まれるデータと前記第２の記録媒体に書き込まれるデータは同一であることを特徴とする請求項２０に記載の情報記録装置の制御方法。
【請求項２６】
上記表示制御手段は、書き込みが停止せざるを得ないような状態が発生した場合に警告表示を行い、書き込みが継続可能な状態であるが、操作部材の操作により、装置の状態が変更された場合には、確認表示を行なうべく、前記データの書き込み状態の表示態様を変えることを特徴とする請求項１６に記載の情報記録装置。
【請求項２７】
上記表示制御ステップにより、書き込みが停止せざるを得ないような状態が発生した場合に警告表示を行い、書き込みが継続可能な状態であるが、操作部材の操作により、装置の状態が変更された場合には、確認表示を行なうべく、前記データの書き込み状態の表示態様を変えることを特徴とする請求項２０に記載の情報記録装置の制御方法。
【発明の詳細な説明】
【技術分野】
【０００１】
本発明は、複数の記録媒体を用いてデータの書き込みが可能な情報記録装置及びその制御方法に関するものである。
【背景技術】
【０００２】
近年、デジタルスチルカメラにおける高画素化、多種に渡る記録媒体の登場により、複数の記録媒体を装填することが可能な複数スロットを備えたカメラが増加している。
【０００３】
また、記録媒体等の破損等により、記録媒体内の撮影データが二度と取り出せないという状況が発生することもあり、上記状況を防止するために複数スロットのうちのあるスロットをバックアップ用として機能させ、通常の記録媒体への撮影データ記録以外にも、同時にバックアップ用記録媒体にも撮影データを記録するという技術が知られている。
【０００４】
【特許文献１】特開２０００−５０１３４号公報
【発明の開示】
【発明が解決しようとする課題】
【０００５】
しかしながら、複数のスロットを備えたカメラにおいて、あるスロットをバックアップ用として機能させ、通常の撮影時における撮影データを記録する以外にも、バックアップ用として設定されているスロットに装填されている記録媒体にも記録する場合、様々な記録媒体により書き込みや読み出しの速度が異なる。従って、これまでのようにある１つの記録媒体に対する書き込み状態等を表示していては、通常記録用とバックアップ用との両方を加味した上での、トータル的な書き込み状態が分からず、ユーザが混乱してしまいかねない。
【０００６】
そこで、本発明の目的は、データを複数の記録媒体に記録する場合、両方の記録媒体の状態を加味した上でのトータル的なデータの書き込み状態を把握可能とすることにある。
【課題を解決するための手段】
【０００７】
本発明の情報記録装置の第１の態様は、第１の記録媒体及び第２の記録媒体に対してデータの書き込みが可能な書込手段と、前記第１の記録媒体と前記第２の記録媒体とのデータの書き込み状態を示す情報を取得する取得手段と、前記第１の記録媒体及び前記第２の記録媒体へのデータの書き込み状態を示す１の情報か、前記第１の記録媒体及び前記第２の記録媒体双方のデータのそれぞれの書き込み状態を示す複数の情報を表示手段上に表示させるかを制御する表示制御手段とを有することを特徴とする。
本発明の情報記録装置の制御方法の第２の態様は、第１の記録媒体及び第２の記録媒体に対するデータの書き込みが可能な情報記録装置の制御方法であって、前記第１の記録媒体と前記第２の記録媒体とのデータの書き込み状態を示す情報を取得する取得ステップと、前記第１の記録媒体及び前記第２の記録媒体へのデータの書き込み状態を示す1の情報か、前記第１の記録媒体及び前記第２の記録媒体双方のデータのそれぞれの書き込み状態を示す複数の情報を表示手段上に表示させるかを制御する表示制御ステップとを含むことを特徴とする。
本発明のプログラムは、前記の情報記録装置の制御方法をコンピュータに実行させることを特徴とする。
本発明の情報記録装置の第２の態様は、第１の記録媒体及び第２の記録媒体に対してデータの書き込みが可能な書込手段と、前記第１の記録媒体と前記第２の記録媒体とのデータの書き込み状態を示す情報を取得する取得手段と、装置の状態変化を検知する検知手段と、前記検知手段により検知される前記装置の状態変化に基づいて、前記データの書き込み状態の表示態様を変える表示制御手段とを有することを特徴とする。
本発明の情報記録装置の第２の態様は、第１の記録媒体及び第２の記録媒体に対してデータの書き込みが可能な書込ステップと、前記第１の記録媒体と前記第２の記録媒体とのデータの書き込み状態を示す情報を取得する取得ステップと、装置の状態変化を検知する検知ステップと、前記検知ステップにより検知される前記装置の状態変化に基づいて、前記データの書き込み状態の表示態様を変える表示制御ステップとを有することを特徴とする。
本発明のプログラムの第２の態様は、前記の情報記録装置の制御方法をコンピュータに実行させることを特徴とする。
【発明の効果】
【０００８】
本発明によれば、第１の記録媒体及び第２の記録媒体へのデータの書き込み状態を示す１の情報か、第１の記録媒体及び第２の記録媒体双方のデータのそれぞれの書き込み状態を示す複数の情報を表示手段上に表示させるかを制御するように構成している。従って、データを複数の記録媒体に記録する場合、両方の記録媒体の状態を加味した上でのトータル的なデータの書き込み状態が把握可能となる。また、データのバックアップを行う際に通常記録用の記録媒体とバックアップ用の記録媒体両方を加味した上でのトータル的なデータの書き込み状態を把握することが可能となる。
【発明を実施するための最良の形態】
【０００９】
以下、本発明を適用した好適な実施形態を、添付図面を参照しながら詳細に説明する。
【００１０】
図１は、本発明の実施形態に係る撮像装置の構成を示すブロック図である。図１に示すように、本実施形態に係る撮像装置は、複数のスロット（ここでは、第１〜第の３スロット１０〜１２）を備え、複数の記録媒体（ここでは、第１〜第３の記録媒体１３〜１５）を装填することが可能である。
【００１１】
図１において、１は焦点距離を変更可能な撮影レンズ、２はシャッタ等の露光制御手段、３はＣＣＤ等の固体撮像素子を用いた撮像センサやＣＤＳ・Ａ／Ｄ回路を含む撮像部、４はメモリ制御回路、５はメモリ制御回路４によって制御されるメモリ、６は撮像装置全体を制御するＣＰＵ、７は撮影モードを変更するダイアル、レリーズボタン等の操作部材を意味する操作部、８はＷＢ（ホワイトバランス）検出など前処理を行う第１の画像処理回路、９はＷＢ制御、ＪＰＥＧ圧縮など後処理を行う第２の画像処理回路である。
【００１２】
図１において、撮影レンズ１及び露光制御手段２を介して撮像部３に結像された撮影画像は、各撮像センサで信号電荷に変換され、ＣＤＳ・Ａ／Ｄ回路を経て、Ｒ・Ｇ・Ｂ信号に変換される。
【００１３】
変換されたＲ・Ｇ・Ｂ信号は、メモリ制御回路４によって一旦メモリ５に格納され、その後メモリ５に格納されたＲ・Ｇ・Ｂ信号は第１の画像処理回路８に加えられる。第１の画像処理回路８では、Ｒ・Ｇ・Ｂ信号を用いてＷＢ調整値の演算を行い、前処理が全て終了すると、画像データは再度メモリ５に格納される。第１の画像処理回路８で得られたＷＢ調整値は、ＣＰＵ６が所定の演算を行った後、メモリ制御回路４を介してメモリ５に格納される。
【００１４】
メモリ５に格納された画像データとＷＢ調整値とは第２の画像処理回路９に送られ、圧縮／伸張など後処理を施された後に、第１〜第３のスロット１０〜１２に装填されている第１〜第３の記録媒体１３〜１５に記録されることになる。なお、詳細は後述するが第１〜第３のスロット１０〜１２は、装填状態検出部及びバックアップ機能設定部等の機能構成を備えている。装填状態検出部は、ＣＰＵ６からの指示に基づいて当該スロットに記録媒体が装填されているか否かを検出する機能構成である。なお、各スロットには、不図示ではあるが、それぞれ蓋が設けられており、操作者は、これらの蓋を空けた後、記録媒体を出し入れすることができる構造となっている。また、本実施形態に係る撮像装置は、少なくとも２つ以上のスロットに記録媒体が装填される状態が発生した場合に、ユーザの操作入力に応じて、どのスロットに装填されている記録媒体をメイン記録用に、どのスロットに装填されている記録媒体をバックアップ記録用にするかを設定しておくことができる。つまり、１つのメイン記録用スロットと少なくとも１つ以上のバックアップ記録用スロットとが設定可能である。このような設定内容をスロット毎に保持する機能構成が、上述したバックアップ機能設定部である。また、メイン記録用スロット、バックアップ記録用スロットの設定に係る操作の受付については、各スロットにおける記録媒体の装填状況は特に問わない。
【００１５】
次に、不図示のＲＯＭ等の記録媒体から読み出されるプログラムを実行することによってＣＰＵ６が果たす一機能構成である表示制御部の基本動作について説明する。バックアップ設定が有り、且つ第１〜第３のスロット１０〜１２に装填されている記録媒体が少なくとも２つ以上存在した場合、統計的なデータ書き込み状態を表示するか、又は第１〜第３のスロット１０〜１２毎の個別のデータ書き込み状態を表示するかに切り換える表示切替基準となる。
【００１６】
上記の表示切替基準を有する表示制御部は、基本的に撮像装置の現状に基づいて与えられる表示状態に応じて画面表示制御を行う。図２は、表示制御部の基本的な動作を示すフローチャートである。
【００１７】
まず、表示制御部は、撮像装置の現状に基づいて与えられる表示状態が書き込み中確認表示状態であるかを判定する（ステップＳ２０１）。ここで書き込み中確認表示状態とは、記録媒体に対するデータの書き込みが継続可能ではあるが、データの書き込みを正常に行うにあたって危惧される状態に撮像装置の状態が変更された場合に与えられる表示状態である。
【００１８】
書き込み中確認表示状態である場合は、表示制御部は記録媒体へ書き込むべきデータの残数である書き込み残数情報を取得し（ステップＳ２０４）、書き込み残数情報を含む書き込み中確認表示を行う（ステップＳ２０５）、その後の表示制御は、表示状態の変更又は表示に必要なデータの更新が生じるまでは一旦終了となる。図８は、書き込み中確認表示の表示構成例を示す図である。図８に示す例の書き込み中確認表示は、書き込み残数情報８０１が点灯し、表示内容の確認をユーザに対して促すものである。
【００１９】
撮像装置の現状に基づいて与えられる表示状態が書き込み中確認表示状態でない場合、表示制御部は、与えられる表示状態が書き込み中断警告表示状態であるかを判断する（ステップＳ２０２）。ここで書き込み中断警告表示状態とは、記録媒体へのデータの書き込みを中断せざるを得ないような状態時に警告の意味を以って与えられる表示状態である。書き込み中断警告表示状態である場合、表示制御部は記録媒体へのデータの書き込み残数情報を取得し（ステップＳ２０６）、取得した書き込み残数情報を含む書き込み中断警告表示を行う（ステップＳ２０７）。その後の表示制御は、表示状態の変更又は表示に必要なデータの更新が生じるまでは一旦終了となる。図７は、書き込み中断警告表示の表示構成例を示す図である。図７に示す例の書き込み中断警告表示は、その表示自体７０１が点灯し、ユーザに対して警告するものである。
【００２０】
表示状態が書き込み中確認表示状態でも書き込み中断警告表示状態でもない場合は、表示制御部は、上記と同様に表示状態に応じた必要なデータを取得し、それを基に表示制御を行う（ステップＳ２０３）。その後の表示制御は、表示状態の変更又は表示に必要なデータの更新が生じるまでは一旦終了となる。
【００２１】
次に撮像装置の電源スイッチオフ時の表示制御処理について図３を用いて説明する。まず表示制御部は電源スイッチがオフにされた場合、全てのスロット（第１〜第３のスロット）の開閉蓋が閉められているかどうかを判定する（ステップＳ３０１）。表示制御部は、全ての開閉蓋が閉められている場合、次に第１〜第３のスロット１０〜１２に記録媒体が少なくとも１つ以上装填されているかどうかを判定する（ステップＳ３０２）。
【００２２】
記録媒体が少なくとも１つ以上装填されている場合、表示制御部は次にそれらの記録媒体に記録すべきデータの書き込み残数状態を参照し、データの書き込み残数が０であるかどうかを判定する（ステップＳ３０３）。書き込み残数が０である場合は、そのままシャットダウン（Shut Down）処理に移行し、画面表示は全消灯されることになる（ステップＳ３０４）。
【００２３】
ステップＳ３０１の判断により、第１〜第３のスロット１０〜１２のうち何れかの開閉蓋が開けられている場合は、そのままアボード（Abort）処理に移行し、画面表示は全消灯されることになる（ステップＳ３０６）。また、第１〜第３のスロット１０〜１２の開閉蓋は閉まっているが、記録媒体が1つも装填されていない場合は、そのままシャットダウン処理に移行し、画面表示は全消灯されることになる（ステップＳ３０４）。
【００２４】
一方、第１〜第３のスロットの開閉蓋は全て閉まっており、さらに記録媒体が少なくとも１つ以上装填されており、且つそれらの記録媒体に記録すべきデータの書き込み残数が０でない場合は、表示状態を書き込み中確認表示状態とする（ステップＳ３０５）。これにより、上述した図２のフローチャートに示すステップステップＳ２０５によって画面上に書き込み中確認表示がなされる。
【００２５】
ここで、本実施形態では、電源スイッチは所謂ソフトスイッチを採用しており、操作者の操作後、必要に応じてＣＰＵ６による制御の基で電源が落とされる。つまり、電源スイッチを操作した段階では未だデータの書き込みが可能であるため、書き込み中確認表示を行なっている。
【００２６】
次に第１〜第３のスロット１０〜１２の何れかの開閉蓋が開いたときの表示制御処理について図４を用いて説明する。
【００２７】
まず、第１〜第３のスロット１０〜１２の何れかの開閉蓋が開いた場合、表示制御部は、開閉蓋が開かれたスロットに記録媒体が少なくとも１つ以上装填されているかどうかを判定する（ステップＳ４０１）。記録媒体が少なくとも１つ以上装填されている場合、次に表示制御部はそれらの記録媒体に記録すべきデータの書き込み残数情報を参照し、各記録媒体のデータ書き込み残数が０であるかどうかを判定する（ステップＳ４０２）。各記録媒体のデータ書き込み残数が０である場合は、そのままアボード処理に移行し、表示画面は全消灯されることになる（ステップＳ４０４）。
【００２８】
一方、開閉蓋が開いているスロットに装填される何れかの記録媒体へのデータ書き込み残数が０でない場合は、表示状態を書き込み中断警告表示状態とする（ステップＳ４０３）。これにより、上述した図２のフローチャートに示すステップＳ２０７によって画面上に中断警告表示がなされる。
【００２９】
蓋を開ける操作の場合は、これから記録媒体を抜こうとする操作を意味し、記録媒体が抜かれてしまうことにより、物理的にデータの書き込みが不可能となる。そのため、本実施形態では、中断警告表示を行なうようにしている。
【００３０】
なお、開閉蓋が開いているスロットに記録媒体が１つも装填されていない場合は、そのままアボード処理に移行し、表示画面は全消灯されることになる（ステップＳ４０４）。
【００３１】
次に書き込み中確認表示状態において、記録媒体に記録すべきデータ書き込み残数情報が変更された場合における表示制御処理について図５を用いて説明する。データ書き込み残数の変更は、ユーザの操作によって当該記録媒体に対して書き込まれるべきデータの数が変更された場合や、当該記録媒体に対してデータが書き込まれていくに従ってデータ書き込み残数が減少していく場合に生じるものである。
【００３２】
表示制御部は、記録媒体に記録すべきデータの書き込み残数情報を参照し、その値が変更された場合、書き込み残数が０であるかどうかを判定する（ステップＳ５０１）。書き込み残数が０でない場合は、書き込み確認表示中における書き込み残数情報のみを更新し、書き込み中確認表示状態を継続する（ステップＳ５０３）。このように表示に必要なデータの更新があった場合、表示制御部は表示制御処理を図５の処理を開始し、上述した図２のステップＳ２０４、ステップＳ２０５を経て画面上には書き込み残数情報が更新された書き込み中確認表示がなされる。
【００３３】
一方、データの書き込み残数が０になった場合、シャットダウン処理に移行し、表示画面は全消灯されることになる（ステップＳ５０２）。
【００３４】
次に、図２のステップＳ２０４、ステップＳ２０６における書き込み残数情報の取得処理の詳細を、図６を用いて説明する。
【００３５】
表示制御部は、第１〜第３のスロット１０〜１２のうちバックアップ記録用スロットの設定がなされているスロットが存在し、且つそのスロットと他のスロットとで２つ以上の記録媒体が装填されているかを判断する（ステップＳ６０１）。
【００３６】
バックアップ記録用スロットの設定がなされているスロットが存在し、且つそのスロットと他のスロットとで２つ以上の記録媒体が装填されている場合、表示制御部はそれらの記録媒体のデータ書き込み残数情報を取得する（ステップＳ６０２）。
【００３７】
次に、表示制御部はそれらの書き込み残数から表示すべき残数を導出する（ステップＳ６０３）。この導出ステップの1つの例として、統計的に演算して、最終的に1つの値としての書き込み残数を決定する。例えば、それらの書き込み残数のうち、最も残数の多いものを最終的に１つの値としての書き込み残数とする。従って、バックアップ記録の場合、書き込み速度が遅い方のスロットに装着された記録媒体が、最も書き込み残数の多い媒体となる。次に表示制御部は、書き込み中確認表示状態時や書き込み中断警告表示状態時において表示させる書き込み残数情報として設定する（ステップＳ６０4）。このようにすることにより、図７や図８に示す各表示状態時において表示される書き込み残数情報は、バックアップ記録用スロット及びメイン記録用スロットに装填された記録媒体のデータ書き込み残数のうち最も数値が高いものが表示されることになる。設定ステップＳ６０３、ステップＳ６０４の他の例としては、ステップＳ６０２において取得した各書き込み残数情報を、夫々各表示状態において表示される書き込み残数情報として設定し、バックアップ記録用スロット及びメイン記録用スロットに装填される全記録媒体のデータ書き込み残数情報として、ステップＳ６０３において導出し、ステップＳ６０４において、その全残数情報を表示させる。更に、他の例としては、ステップＳ６０３で得られた各残数情報をステップＳ６０４において、交互に切り替えて表示する様にしても良い。
【００３８】
なお、第１〜第３のスロット１０〜１２の何れにもバックアップ記録用スロットの設定がなされていない場合、又は、第１〜第３のスロット１０〜１２の何れかがバックアップ記録用スロットの設定がなされているが、そのスロットと他のスロットとで２つ以上の記録媒体が装填されていない場合、現在スロットに装填されている記録媒体のデータ書き込み残数情報を取得し（ステップＳ６０５）、その情報を各表示状態時に表示させるデータ書き込み残数情報として設定する（ステップＳ６０４）。なお、記録媒体がそもそも１つも装填されていなければ、書き込み残数取得処理を終了する。
【００３９】
以上のように上述した実施形態によれば、或る記録媒体に書き込まれるデータのバックアップのために、そのデータと同一のデータが他の記録媒体に対しても書き込まれる場合、通常記録用の記録媒体及びバックアップ用の記録媒体のうちデータの書き込み処理が遅れている方のデータの書き込み残数情報、又は、通常記録用の記録媒体及びバックアップ用の記録媒体双方のデータの書き込み残数情報を表示させるように構成している。従って、データのバックアップを行う際に通常記録用の記録媒体とバックアップ用の記録媒体両方を加味した上でのトータル的なデータの書き込み状態をユーザは把握することが可能となる。
【００４０】
また、上述した実施形態では、データの書き込み処理に支障を来す虞のある状態変化、例えば上述した実施形態では撮像装置の供給される電源がオフとなった状態、記録媒体が装填されているスロットの開閉蓋が開いた状態を検知し、その検知結果に対応させて書き込み中断警告表示、書き込み中確認表示を行っている。従って、正常なデータの書き込み処理が危惧されるような状態時にはユーザに対して画面表示によりそれらを明示することができる。
【００４１】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４２】
この場合、記憶媒体から読み出されたプログラムコード自体が前述した実施形態の機能を実現することになり、プログラムコード自体及びそのプログラムコードを記憶した記憶媒体は本発明を構成することになる。
【００４３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４４】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００４５】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００４６】
【図１】本発明の実施形態に係る撮像装置の構成を示すブロック図である。
【図２】表示制御部の基本的な動作を示すフローチャートである。
【図３】撮像装置の電源スイッチオフ時の表示制御処理を示すフローチャートである。
【図４】第１〜第３のスロットの何れかの開閉蓋が開いたときの表示制御処理を示すフローチャートである。
【図５】書き込み中確認表示状態において、記録媒体に記録すべきデータ書き込み残数情報が変更された場合における表示制御処理を示すフローチャートである。
【図６】図２のステップＳ２０４、ステップＳ２０６における書き込み残数情報の取得処理の詳細を示すフローチャートである。
【図７】書き込み中断警告表示の表示構成例を示す図である。
【図８】書き込み中確認表示の表示構成例を示す図である。
【符号の説明】
【００４７】
１  撮影レンズ
２  露光制御手段
３  撮像部
４  メモリ制御回路
５  メモリ
６  ＣＰＵ
７  操作部
８  第１の画像処理回路
９  第２の画像処理回路
１０  第１のスロット
１１  第２のスロット
１２  第３のスロット
１３  第１の記録媒体
１４  第２の記録媒体
１５  第３の記録媒体
【図１】
2007066393.tif 000003
【図２】
2007066393.tif 000004
【図３】
2007066393.tif 000005
【図４】
2007066393.tif 000006
【図５】
2007066393.tif 000007
【図６】
2007066393.tif 000008
【図７】
2007066393.tif 000009
【図８】
2007066393.tif 000010